(57)【特許請求の範囲】
【請求項１】
紐を玉状に巻き付けて成り、両端が開口した空洞が中心軸に沿って形成されると共に、前記紐の端部が前記空洞の内側に位置する紐玉の外面に、前記空洞の端部に張り出すよう取り付けられる紐押え部付き弾性シート片であって、前記弾性シート片の一面の一端部に、前記紐玉に取り付けるための粘着部が形成され、前記弾性シート片には、一端を除く周囲に線状の切れ目を入れて揺動可能な紐押え部が形成されていることを特徴とする紐玉用紐押え部付き弾性シート片。
【請求項２】
前記弾性シートが透明であることを特徴とする請求項１に記載の紐玉用紐押え部付き弾性シート片。
【発明の詳細な説明】
【技術分野】
【０００１】
本発明は、両端が開口した空洞が中心軸に沿って形成されるよう紐を玉状に巻き付けて成り、中心の空洞から紐の端部を引き出して使用する紐玉に取り付けられる紐玉用紐押え部付き弾性シート片に関する。
【背景技術】
【０００２】
荷造り等に用いられる紐は、中心軸に沿って空洞が形成されるよう玉状に巻き付けられ、使用する際には、紐玉の転がりを防ぐために、内側から必要な長さだけ引き出して切断するのが一般的である。
ところが、切断後の紐の先端部は紐玉の中心の空洞内に戻りやすく、紐が絡まったり、先端部がどこにあるのかわからなくなり、次に使用する際に紐を引き出しにくくて不便を感ずることも多かった。
【０００３】
そこで、従来、取り出した紐の先端部が紐玉の中心の空洞に戻るのを防ぐ装置が種々提案されている。
例えば、特許文献１には、紐類を収納する上部が開口板容器体と、容器体の開口上部を塞ぐ蓋体とから成り、蓋体の中央部に、抜取孔を有する回転口部を設け、蓋体の上面に紐類の端部を止めるストッパーを設けた荷造り紐用ケースが記載されている。
また、特許文献２には、テープ紐を巻きあげた玉を収納する下ケースと、テープ紐の先端部を通す穴を有し、下ケースに螺合される上ケースとを備え、上ケースの上面にテープ紐を切断時に保持するピンが装着されているテープ紐用ケースが記載されている。
しかし、上記従来のものは、いずれも、特殊なケースを必要とするので、構造が複雑で価格も高くつき、切断後に紐の先端部が紐玉内に戻るのを防ぐためには、わざわざストッパー或いはピンに引っ掛けて止めなければならなかった。
【先行技術文献】
【特許文献】
【０００４】
【特許文献１】実開平７-３１６３２号公報
【特許文献２】特開平８-１３３２９８号公報
【発明の概要】
【発明が解決しようとする課題】
【０００５】
本発明が解決しようとする課題は、紐の先端部が紐玉の中心に形成された空洞の中に戻るのを防ぎ、構造が簡単で、使用する度に紐の先端部を止める操作を必要としない紐玉用紐押え部付き弾性シート片を提供することにある。
【課題を解決するための手段】
【０００６】
本発明は、紐を玉状に巻き付けて成り、両端が開口した空洞が中心軸に沿って形成されると共に、前記紐の端部が前記空洞の内側に位置する紐玉の外面に、前記空洞の端部に張り出すよう取り付けられる紐押え部付き弾性シート片に関し、前記弾性シート片の一面の一端部に、前記紐玉に取り付けるための粘着部が形成され、前記弾性シート片には、一端を除く周囲に線状の切れ目を入れて揺動可能な紐押え部が形成されている。
前記弾性シートは透明にするとよい。
空洞から取り出した紐の端部を、紐押え部を形成することによりできた弾性シートの孔に挿通すると、紐を引き出す時には、紐押え部が外側に揺動して紐を通過させ、紐に加わる引っ張り力が消えた時には、紐押え部が閉じて孔の周囲との間に紐を挟み込む。
【発明の効果】
【０００７】
請求項１に係る発明によれば、紐を使用する当初に、空洞から取り出した紐の端部を弾性シート片の孔に通しておくだけで、引き出した紐を切断した後に、紐の先端部を自動的に紐押え部と孔の周囲とで挟み込むので、特に操作することなく、確実に紐の先端部が空洞内に戻るのを防ぐことができ、この結果、紐が絡むのを防止して紐を効率良く使い切ることができると共に、次に使用する際に簡単に紐を引き出すことが可能である。
また、通常の市販品と同様の紐玉に、紐押え部を形成した弾性シート片を取り付けるだけの簡単な構造なので、価格が安くて済み、弾性シート片及び紐押え部の大きさを変えるだけで容易に紐の太さの違いに対応できる。
請求項２に係る発明によれば、弾性シート片を起こさなくても、紐の残量を眼で確認できる。
【図面の簡単な説明】
【０００８】
【図１】本発明の実施例を示す紐玉用紐押え部付き弾性シート片の紐玉に取り付けた状態の斜視図。
【図２】本発明の実施例を示す紐玉用紐押え部付き弾性シート片の平面図。
【図３】本発明の実施例を示す紐玉用紐押え部付き弾性シート片及び紐の断面図。
【図４】紐玉用紐押え部付き弾性シート片の他の実施態様を示す平面図。
【図５】紐玉用紐押え部付き弾性シート片のさらに他の実施態様を示す平面図。
【発明を実施するための形態】
【０００９】
以下、本発明の実施例を図面に基づいて詳細に説明する。
図１に示すように、紐玉１は、荷造り、紙類の梱包等に用いられる紐２を玉状に巻き付けて成る。
紐２は、ポリプロピレン等を素材とするテープ紐であってもよいし、断面略円形の細い麻紐等であってもよい。
紐２は、紐玉１の中心軸に沿って両端が開口した空洞３が形成されるよう巻き付けられ、使用前には紐２の端部が空洞３の内側に位置している。
【００１０】
紐玉１の外面は透明なフィルム４で被覆され、空洞３の両端と合致する位置においてフィルム４は開口している。
従って、紐２の端部を空洞３の開口端から外部へ取り出し、紐玉１が転がらないように紐２を紐玉１の内側から引き出しながら使用することができる。
以上の構造は、一般的な市販品と変わるところはない。
【００１１】
紐玉１の外面（フィルム４の外面）において、空洞３の開口端を囲む端面に弾性シート片５が、空洞３の端部に張り出すように取り付けられている。
弾性シート片５は、適度な弾性を有する短冊状の透明なプラスチックシートより成り、その張り出し部分には、図２に示すように、一端を除く周囲に線状の切れ目を入れて紐押え部６が形成されている。即ち、紐押え部６は、切れ目のない一端を介して弾性シート５に揺動可能に接続されることになる。
本実施例では、底辺が弾性シート片５に接続された略三角形の紐押え部６が形成されている。
また、弾性シート片５の一面の一端部には、粘着剤を塗布するか、両面粘着テープを貼着することにより粘着部７が形成され、弾性シート片５はこの粘着部７を介して紐玉１に取り付けられる。
【００１２】
紐２を使用する際には、使用当初に、空洞３の内側に位置する紐２の端部を、図３に示すように、弾性シート片５の紐押え部６を形成することによりできた孔８に通して紐玉１の外部へ取り出しておく。
そして、孔８を通して紐２を空洞３から引き出すと、紐押え部６を引き起こそうとする力が加わり、紐押え部６は外側に揺動して紐２を通過させる。
必要な長さだけ紐２を引き出してから、弾性シート片５の外側で紐２を切断すると、紐押え部６を引き起こす力が消滅するので、紐押え部６は元の位置に戻ろうとして内側に揺動し、紐２の先端部を紐押え部６と孔８の周囲とで挟み込んで、紐２の先端部が空洞３内に戻るのを阻止する。
【００１３】
なお、紐押え部６は、図２に示す形状に限定されない。例えば、図４に示すように、一辺を除いて周囲に切れ目を入れた略四角形の紐押え部６を形成しても良い。或いは、図５に示すように、三角形の頂部に略円形の径大部が一体に形成された形状の紐押え部６とすることもできる。
また、弾性シート片５は、不透明とすることもできるが、上記実施例のように透明な素材を用いると弾性シート片５を通して空洞３の内部を見ることができ、紐２の残量を確認しやすい。
さらに、弾性シート片５の寸法や剛性、紐押え部６の大きさ等は、紐２の太さに応じて適宜変更できる。
【符号の説明】
【００１４】
１    紐玉
２    紐
３    空洞
４    フィルム
５    弾性シート片
６    紐押え部
７    粘着部
８    孔
【図１】
0005557877.tif 000002
【図２】
0005557877.tif 000003
【図３】
0005557877.tif 000004
【図４】
0005557877.tif 000005
【図５】
0005557877.tif 000006